(57)【要約】【課題】時分割で表示される左右映像の輝度の低下を抑えること。【解決手段】表示制御回路１１は、左目用の左映像と右目用の右映像から構成される時分割表示型の立体映像データに基づいて、時分割で交互に左映像及び右映像を液晶パネル８に書き込むパネル駆動部７を備える。また、液晶パネル８を通過する光を発する光源の輝度の高低を調整する光源駆動部５と、液晶シャッタを駆動するシャッタ駆動信号により液晶シャッタの開閉が制御されるシャッタ眼鏡２１に対して、シャッタ駆動信号を供給するシャッタ眼鏡駆動部と３を備える。また、液晶パネル８に対する左映像及び右映像の書き換え期間では、光源駆動部５に光源の輝度を下げる指示を行い、液晶パネル８に対する左映像又は右映像のいずれかが単独で書き込まれる期間では、光源駆動部５に光源の輝度を上げる指示を行う制御部を備える。【選択図】図１
2012105216.tif 000002
【特許請求の範囲】
【請求項１】
左目用の左映像と右目用の右映像から構成される時分割表示型の立体映像データに基づいて、時分割で交互に前記左映像及び右映像を光変調素子に書き込む素子駆動部と、
前記光変調素子を通過する光を発する光源の輝度の高低を調整する光源駆動部と、
液晶シャッタを駆動するシャッタ駆動信号により前記液晶シャッタの開閉が制御されるシャッタ眼鏡に対して、前記シャッタ駆動信号を供給するシャッタ眼鏡駆動部と、
前記光変調素子に対する前記左映像及び前記右映像の書き換え期間では、前記光源駆動部に前記光源の輝度を下げる指示を行い、前記光変調素子に対する前記左映像又は右映像のいずれかが単独で書き込まれる期間では、前記光源駆動部に前記光源の輝度を上げる指示を行う制御部と、を備える
表示制御回路。
【請求項２】
前記光源駆動部は、前記左映像又は前記右映像が互いに切り換わる際における前記光変調素子の応答期間を経過した後に前記光源の輝度を高める制御を行う
請求項１記載の表示制御回路。
【請求項３】
前記光源駆動部が調整する前記光源の輝度は、時間平均した前記光源の輝度を基準として、前記光源が消費する電力の時間平均値をほぼ一定とする５０％乃至１７５％の範囲内で高低が制御される
請求項１又は２記載の表示制御回路。
【請求項４】
前記光変調素子は、透過型または反射型の液晶パネルである
請求項３記載の表示制御回路。
【請求項５】
前記シャッタ眼鏡には、前記シャッタ眼鏡駆動部が供給する前記シャッタ駆動信号が有線又は無線で送信される
請求項３記載の表示制御回路。
【請求項６】
スクリーンに投影される光を発する光源と、
左目用の左映像と右目用の右映像から構成される時分割表示型の立体映像データに基づいて、時分割で交互に前記左映像及び右映像が書き込まれる光変調素子と、
前記左映像及び右映像を光変調素子に書き込む素子駆動部と、
前記光源から発せされ、前記光変調素子を通過した光よりなる映像を所定の倍率で拡大するレンズと、
前記光源の輝度の高低を調整する光源駆動部と、
液晶シャッタを駆動するシャッタ駆動信号により前記液晶シャッタの開閉が制御されるシャッタ眼鏡に対して、前記シャッタ駆動信号を供給するシャッタ眼鏡駆動部と、
前記光変調素子に対する前記左映像及び前記右映像の書き換え期間では、前記光源駆動部に前記光源の輝度を下げる指示を行い、前記光変調素子に対する前記左映像又は右映像のいずれかが単独で書き込まれる期間では、前記光源駆動部に前記光源の輝度を上げる指示を行う制御部と、を備える
プロジェクタ装置。
【発明の詳細な説明】
【技術分野】
【０００１】
本発明は、例えば、時分割方式で３Ｄ映像を表示する場合に適用して好適な表示制御回路及びプロジェクタ装置に関する。
【背景技術】
【０００２】
従来、ユーザの左右の眼の視差に合わせて設置される２台のカメラが撮像した同一の被写体の映像を用いて、ユーザが立体視することができる立体映像（以下、「３Ｄ映像」と呼ぶ。）を生成する技術がある。２台のカメラが撮像した映像は、左目用の「左映像」と、右目用の「右映像」（以下、左映像と右映像を「左右映像」とも総称する。）と呼ばれる。
【０００３】
ユーザが３Ｄ映像を視聴可能な表示装置として、３Ｄディスプレイ装置やスクリーンに映像を投影するプロジェクタ装置がある。これらの表示装置は、表示面に対して時分割で順に左右映像を表示しており、液晶シャッタを内蔵したシャッタ眼鏡と組み合わせて使用される。ここで、プロジェクタ装置が備える液晶パネルの映像表示を書き換える期間と、液晶パネルの応答速度により映像変化が遅れる期間では、左映像と右映像が一部重なって表示される。この重なりを避けるため、左右映像の書き換え期間では液晶シャッタ眼鏡の液晶シャッタを閉じておき（オフ）、シャッタ眼鏡の左右レンズからユーザの両目に光が届かないようにしておく。
【０００４】
特許文献１には、色分離手段が切り替える色に応じて光の強度を変えることによって、光源から時分割で色分離された光を投射する技術が開示されている。
【先行技術文献】
【特許文献】
【０００５】
【特許文献１】特開２００３−１０２０３０号公報
【発明の概要】
【発明が解決しようとする課題】
【０００６】
ところで、上述した表示装置に用いられるシャッタ眼鏡は、左右映像の書き換え期間に液晶シャッタを閉じるため、それぞれの左右レンズが開く（オン）時間は３Ｄ映像の表示時間に対して１／２以下となる。このため、左右レンズが閉じる期間では、シャッタ眼鏡に届く光を利用できず、ユーザは３Ｄ映像を暗く認識してしまう。一方、ユーザが明るい３Ｄ映像を認識するためには、表示装置が使用する光源を、従来の光源に比べて大型かつ高輝度とする必要があり、光源の消費電力が大きくなっていた。
【０００７】
本発明はこのような状況に鑑みて成されたものであり、時分割で表示される左右映像の輝度の低下を抑えることを目的とする。
【課題を解決するための手段】
【０００８】
本発明は、左目用の左映像と右目用の右映像から構成される時分割表示型の立体映像データに基づいて、時分割で交互に左映像及び右映像を光変調素子に書き込む素子駆動部を備える。
また、光変調素子を通過する光を発する光源の輝度の高低を調整する光源駆動部と、液晶シャッタを駆動するシャッタ駆動信号により液晶シャッタの開閉が制御されるシャッタ眼鏡に対して、シャッタ駆動信号を供給するシャッタ眼鏡駆動部と、を備える。
また、光変調素子に対する左映像及び右映像の書き換え期間では、光源駆動部に光源の輝度を下げる指示を行い、光変調素子に対する左映像又は右映像のいずれかが単独で書き込まれる期間では、光源駆動部に光源の輝度を上げる指示を行う制御部を備える。
【０００９】
このようにしたことで、左映像と右映像が重なり合って表示される書き換え期間における光源の輝度を下げ、左映像と右映像のいずれかが単独で書き込まれる期間における光源の輝度を上げることができる。
【発明の効果】
【００１０】
本発明によれば、左映像と右映像を時分割で交互に表示する左右映像を表示する場合に、左映像と右映像が重なり合って表示される書き換え期間と、単独で表示される期間における光源の輝度を変える。これにより、ユーザは、明瞭な左右映像から輝度が高い３Ｄ映像を認識することができ、光源の消費電力を従来の光源と変わらない程度に保つことができる。
【図面の簡単な説明】
【００１１】
【図１】本発明の第１の実施の形態における３Ｄ表示システムの内部構成例を示すブロック図である。
【図２】本発明の第１の実施の形態におけるプロジェクタ装置の内部構成例を示すブロック図である。
【図３】本発明の第１の実施の形態におけるプロジェクタ装置の動作例を示す構成図である。
【図４】本発明の第１の実施の形態における理想的な状態における左右映像の表示と液晶シャッタの動作例を示す説明図である。
【図５】本発明の第１の実施の形態における右映像から左映像に遷移する場合における液晶シャッタの動作例を示す説明図である。
【図６】本発明の第１の実施の形態における左映像と右映像の表示切替えに伴って光源の輝度を変化させる動作例を示す説明図である。
【図７】本発明の第１の実施の形態における、液晶応答期間を考慮しない場合の液晶パネルに表示される映像信号と、光源の輝度と、シャッタ眼鏡のオン・オフの動作例を示す説明図である。
【図８】本発明の第２の実施の形態における、液晶応答期間を考慮した場合の液晶パネルに表示される映像信号と、光源の輝度と、シャッタ眼鏡のオン・オフの動作例を示す説明図である。
【発明を実施するための形態】
【００１２】
以下、発明を実施するための最良の形態（以下実施の形態とする。）について説明する。なお、説明は以下の順序で行う。
１．第１の実施の形態（光源輝度の制御：液晶応答期間を考慮しない場合の例）
２．第２の実施の形態（光源輝度の制御：液晶応答期間を考慮する場合の例）
３．変形例
【００１３】
＜１．第１の実施の形態＞
［液晶応答期間を考慮しない場合の例］
【００１４】
以下、本発明の第１の実施の形態について、図１〜図７を参照して説明する。本実施の形態では、時分割で交互に左右映像をスクリーン１３に投影するプロジェクタ装置１と、シャッタ眼鏡２１と、を含む３Ｄ表示システム１０に適用した例（以下、「本例」という。）について説明する。
【００１５】
図１は、３Ｄ表示システム１０の内部構成例を示す。
３Ｄ表示システム１０は、スクリーン１３に左右映像（３Ｄ映像）を投影するプロジェクタ装置１と、時分割で左右レンズの液晶シャッタがオン又はオフされるシャッタ眼鏡２１と、を備える。
【００１６】
プロジェクタ装置１は、左右映像の表示を制御する表示制御回路１１と、シャッタ眼鏡２１に赤外線を発光する赤外線発光部４と、表示制御回路１１の制御に従って輝度を変え、スクリーン１３に投影される光を発する光源６と、を備える。また、プロジェクタ装置１は、光源６が発光する光を３Ｄ映像光として出射する光学エンジン１２を備える。光学エンジン１２は、表示制御回路１１の制御に従って左右映像を書き換える液晶パネル８と、液晶パネル８を通過した光よりなる映像を所定の倍率で拡大してスクリーン１３に投影するレンズ９と、を備える。
【００１７】
本例では、時分割で交互に左映像及び右映像が書き込まれる光変調素子として、液晶パネル８が用いられる。光源６は、液晶パネル８を通過し、スクリーン１３に投影される光を発する。液晶パネル８と合成プリズムを備える光学エンジン１２は、表示制御回路１１の指示を受けて、合成プリズムに設置されたＲ，Ｇ，Ｂの液晶パネル８を通して光源６が出射する光を三原色の映像光として出射する。
【００１８】
表示制御回路１１は、外部の映像再生装置から入力した３Ｄ映像信号の出力を制御する制御部２を備える。また、時分割で切り換わる左右映像に合わせてシャッタ眼鏡２１の左右レンズの液晶シャッタの駆動を指示するシャッタ駆動信号を出力するシャッタ眼鏡駆動部３を備える。また、制御部２から指示を受けて液晶パネル８を通過する光を発する光源６の輝度の高低を調整する光源駆動部５と、制御部２の指示を受けて液晶パネル８を駆動するパネル駆動部７と、を備える。パネル駆動部７は、光変調素子（本例では、液晶パネル８）を駆動する素子駆動部として用いられる。そして、パネル駆動部7は、左目用の左映像と右目用の右映像から構成される時分割表示型の立体映像データ（３Ｄ映像信号）に基づいて、時分割で交互に左映像及び右映像を液晶パネル８に書き込む。
【００１９】
制御部２は、液晶パネル８に対する左映像及び右映像の書き換え期間では、光源駆動部５に光源６の輝度を下げる指示を行い、液晶パネル８が左映像又は右映像のいずれかが単独で書き込まれる期間では、光源駆動部５に光源６の輝度を上げる指示を行う。シャッタ眼鏡２１には、シャッタ眼鏡駆動部３が供給するシャッタ駆動信号が有線又は無線で送信される。本例では、シャッタ駆動信号を無線で送信するため、シャッタ駆動信号を電光変換した赤外線信号を送信している。
【００２０】
シャッタ眼鏡駆動部３は、液晶シャッタを駆動するシャッタ駆動信号により液晶シャッタの開閉が制御されるシャッタ眼鏡２１に対して、液晶シャッタのシャッタ駆動信号を赤外線発光部４に供給する。そして、赤外線発光部４は、シャッタ駆動信号を赤外線信号に変換し、所定のパターンで発光してシャッタ眼鏡２１に送信する。
【００２１】
シャッタ眼鏡２１は、赤外線発光部４から受光した赤外線信号をシャッタ駆動信号に光電変換する赤外線受光部２３と、シャッタ駆動信号に合わせてシャッタ眼鏡２１の左右のレンズ部分を個別にオン・オフする制御回路２２と、を備える。シャッタ眼鏡２１は、左右のレンズ部分に液晶シャッタを備えており、ユーザが左映像を見るときは左レンズのシャッタを開け（オン）、右レンズのシャッタを閉める（オフ）。一方、ユーザが右映像を見るときは右レンズのシャッタを開け（オン）、左レンズのシャッタを閉める（オフ）。これにより、ユーザの左右の目には、短時間で切り換えられた左右映像が交互に入力するため、ユーザは、３Ｄ映像として認識する。
【００２２】
図２は、プロジェクタ装置１の内部構成例を示す。
プロジェクタ装置１は、左右映像の像光を３Ｄ映像信号に基づいて変調する光変調素子として透過型または反射型の液晶パネル８を用い、光変調素子に光源の光を照射する光学系により、光変調素子上の映像をレンズ９にてスクリーン１３に投影する。このとき、プロジェクタ装置１は、スクリーン１３に時分割方式で３Ｄ映像を表示しており、光源の輝度を制御することによって、スクリーン１３に投影される映像の輝度を高めている。
【００２３】
ここで、左右映像からなる３Ｄ映像信号は制御部２に入力される。制御部２は、パネル駆動部７を介して交互に右映像と左映像を液晶パネル８に書き込み、この書込みタイミングに合わせて、シャッタ眼鏡駆動部３を介してシャッタ眼鏡２１の左右レンズをオン又はオフする制御を行う。同時に、制御部２は、光源駆動部５に輝度の高低を調整する輝度制御信号を送ることにより、光源駆動部５に光源６の輝度を制御させる。このようにして制御部２は、時分割で表示される左右映像の切替えタイミングに合わせて、光源６の輝度と、シャッタ眼鏡２１の液晶シャッタの切替えタイミングを制御する。
【００２４】
図３は、プロジェクタ装置１が１／２４０秒毎に時分割をして左右映像の３Ｄ映像を表示する場合における動作例を示す。
【００２５】
プロジェクタ装置１は、通常、左映像と右映像を１秒間に６０コマずつ、合計１２０コマで書き込む。しかし、左右映像は切り換えタイミングで一瞬のうちに書き換わるのではなく、例えば、左上から右下に向かって左右映像が混ざりながら書き換わっていく。このため、左右映像の切り替わり時には、左映像と右映像が重なる「クロストーク」現象が発生しやすくなる。本例のプロジェクタ装置１は、左右映像を通常の倍の１２０コマ（合計２４０コマ）で再生し、左映像と右映像を素早く２度書きした上で、ＬＥＤを用いた光源６の輝度をコマ毎に制御することにより、鮮明な３Ｄ映像を表示できるようにしている。
【００２６】
始めに、右映像に左映像が書き込まれる途中である初期状態の例を示す。
このとき、左映像が上方から書かれるため、書き込み期間では、左映像が既に表示されている右映像に重なってしまう。このとき、ユーザが映像を二重に見てしまうことを防ぐため、光源６がオフされ、シャッタ眼鏡２１の左右レンズがオフされる。これによってユーザの両目に届く光が遮られる。
【００２７】
次に、初期状態から１／２４０秒だけ進んだ状態の例を示す。
通常の６０フレーム／秒の映像に比べ、２４０フレーム／秒とすることで、初期状態から１／２４０秒だけ経過すると、左映像がくっきりと表示される。このとき、光源６をオンし、シャッタ眼鏡２１の左レンズを光が透過することで、ユーザは高輝度な左映像を認識することが出来る。
【００２８】
次に、初期状態から２／２４０秒だけ進んだ状態の例を示す。
上述したように、右映像が上方から書かれるため、書き込み期間では、既に表示されている左映像と重なってしまう。このとき、映像が二重に見えてしまうことを防ぐため、光源６がオフされ、シャッタ眼鏡２１の左右レンズがオフされることによってユーザの両目に届く光が遮られる。
【００２９】
次に、初期状態から３／２４０秒だけ進んだ状態の例を示す。
初めから３／２４０秒だけ経過すると、右映像がくっきりと表示される。このとき、光源６をオンし、シャッタ眼鏡２１の右目用レンズを光が透過することで、ユーザは高輝度な右映像を認識することが出来る。
【００３０】
図４は、理想的な状態における左右映像の表示と液晶シャッタの動作例を示す。
時分割方式で３Ｄ映像を表示するためには、右映像と左映像を交互に表示する必要がある。右映像は右目だけ、左映像は左目だけに届けばよいため、交互に書き換わる左右映像と同期させて光の透過又は遮断を制御できるシャッタ眼鏡２１を使用する。左映像の表示期間はシャッタ眼鏡の左レンズのシャッタを開き、右目用のシャッタを閉じておく。次に右映像を表示すると同時にシャッタ眼鏡の左レンズのシャッタを閉じて右レンズのシャッタを開く。以降、液晶パネル８とシャッタ眼鏡２１は、この動作を繰り返す。
【００３１】
プロジェクタ装置１が投影する左右映像は、所定のタイミングで交互に切替えてスクリーン１３に表示される。このため、図４に示すように理想的には、左映像が表示される時にシャッタ眼鏡２１の右目レンズのシャッタが閉まり、右映像が表示される時にシャッタ眼鏡２１の左目レンズのシャッタが閉まることが望ましい。
【００３２】
図５は、液晶パネル８が右映像から左映像に書き換わる場合における液晶シャッタ２１の動作例を示す。
透過型または反射型の液晶パネル８等の光変調素子に映像を表示する場合、パネル上側から水平ライン毎に垂直方向に映像を書き換えていくため、１フレーム前の映像（たとえば右映像）と次フレームの映像（たとえば左映像）が一画面内に同時に存在する場合がある。
【００３３】
プロジェクタ装置１が右映像から左映像に切替えて表示する際、画面の上部から下部に向かって左映像が書き込まれていく。ここで、ユーザが右映像と左映像が同時に見ると左右映像が２重に見えてしまう。このため、ユーザが見る映像は輪郭がぼやけてしまうばかりでなく、立体感も損なわれてしまうため、同時に左右映像を視認する状態を避けなければならない。
【００３４】
図６は、液晶パネル８が右映像から左映像に書き換わる場合に光源６の輝度を変化させる動作例を示す。
図６Ａは、液晶パネル８が右映像から左映像に遷移する例を示す。
図６Ｂは、液晶パネル８が書き換える映像に合わせてシャッタ眼鏡２１の左右レンズの液晶シャッタを駆動する例を示す。
図６Ｃは、光源６の輝度の例を示す。
【００３５】
プロジェクタ装置１は、液晶パネル８の映像を書き換えている間、右映像と左映像が同時に見えないように、シャッタ眼鏡２１の左右レンズの液晶シャッタを両方閉じておく必要がある。シャッタ眼鏡２１の液晶シャッタを両方閉じている時間は映像を表示する必要がないため、光源６の輝度を下げてもユーザは輝度の低下を認識しない。
【００３６】
このため、制御部２は、スクリーン１３に投影する映像とシャッタ眼鏡２１の液晶シャッタに同期させて、光源６の輝度の高低を制御する。本例では、右映像が表示される「Ａ」の期間で光源６の輝度を上げ、書き換え期間に相当する「Ｂ」の期間で光源６の輝度を下げ、左映像が表示される「Ａ」の期間で光源６の輝度を上げる。以下この動作を繰り返す。これにより、左右映像がいずれも完全に書き換わったときに、従来の光源より高い輝度となるように光源６の動作を制御することができる。これにより光源６の消費電力を一定に保ちながら、左右映像を明るくする事が可能である。また、「Ａ」の期間における光源６の輝度を一定にして、「Ｂ」の期間における光源６の輝度を下げる事により光源６の消費電力を抑える事も可能である。
【００３７】
また、「Ｂ」の期間は光源６の発光を停止しても良いし、発光を停止せず輝度だけを下げてもよい。また、光変調素子（液晶パネル８等）の応答速度は有限であるため、このような応答速度に基づく映像変化の遅れも「Ｂ」の期間に含む事が出来る。
【００３８】
図７は、３Ｄ映像信号を２倍速で表示する際に液晶パネル８へ左右映像を書き込む処理、光源６の輝度を制御する処理、シャッタ眼鏡２１の左右レンズをオン又はオフするタイミングを示したタイムチャートの例を示す。
【００３９】
図７Ａは、液晶パネル８に表示される左映像と右映像の３Ｄ映像信号の表示例を示す。
図７Ｂは、光源６の輝度の例を示す。
図７Ｃは、シャッタ眼鏡２１における左右レンズのオン・オフの遷移例を示す。
【００４０】
ここでは、映像信号が２４Ｐの時分割方式の３Ｄ映像に対応して、液晶パネル８を書き換えるパネル表示信号である場合を想定する。このとき、制御部２は、パネル駆動部７に対して、液晶パネル８に左映像と右映像の３Ｄ映像信号を交互に書き込む指示を行う。３Ｄ表示システム１０は、液晶パネル８の全体を左映像又は右映像のいずれかに書き換えるために必要な時間が５．２５ミリ秒である。このため、左映像と右映像のうち、いずれか一方の映像から他方の映像に書き換わるまでの時間である５．２５ミリ秒の間は光源６の出力を時間平均した値に対して５０％に低下させる。ここで、光源６を一旦オフとすると、光源６に放電ランプを使用した場合、一度消灯させるとすぐには点灯できないからである。
【００４１】
そして、光源駆動部５が調整する光源６の輝度は、時間平均した光源６の輝度を基準として、光源が消費する電力の時間平均値をほぼ一定とする５０％乃至１５０％の範囲内の高低が制御される。本例では、完全に右映像が液晶パネル８に表示されている５．２５ミリ秒の期間は、光源６の輝度を１５０％に増加すると同時にシャッタ眼鏡２１の右レンズをオンとして光を透過させる。また、完全に左映像が表示されている５．２５ミリ秒の期間、光源６の輝度を１５０％に上げると同時にシャッタ眼鏡２１の左レンズをオンとして光を透過させる。このように光源６の輝度を時間変化させると、輝度を一定にした場合（１００％）と比較すると、映像の明るさが約１．５倍となる。
【００４２】
以上説明した第１の実施の形態に係る３Ｄ表示システム１０によれば、時分割方式の３Ｄ映像に対応する表示を行う際、液晶パネル８に書き込まれる左映像と右映像が完全に書き換わるまで、制御部２は、光源６の輝度を下げる処理を行う。一方、左映像と右映像がそれぞれ液晶パネル８に完全に書き込まれると、制御部２は、光源６の輝度を上げる処理を行う。このように左映像と右映像の切替え表示のタイミングに合わせて光源６の輝度の高低を制御するため、左映像と右映像が同時に見えてしまうクロストークを抑制することができる。
【００４３】
また、制御部２は、光源駆動部５に対して、光源６の輝度の高低は、通常の輝度を１００％とした場合に、５０％乃至１５０％の間で行うよう指示をする。このとき、ユーザが実際に見る３Ｄ映像の明るさは、従来の３Ｄ映像の明るさに比べて１．５倍程度高めることが可能である。このため、時分割方式の３Ｄ映像の輝度を向上することができる。また、液晶パネル８が書き換わる間は光源６の輝度を下げるため、シャッタ眼鏡２１のレンズ部分の液晶シャッタを閉じるため、漏れ光によるクロストークを抑制することが可能である。
【００４４】
また、液晶パネル８に左右映像が書き換えられたときに光源６の輝度を上げ、左右映像が書き換えられる途中に光源６の輝度を下げることにより、プロジェクタ装置１で消費する電力を抑制することが可能である。このため、光源６の消費電力を従来の光源と変わらない程度に保つことができ、時分割方式で表示される３Ｄ映像の明るさを向上することが可能となる。
【００４５】
＜２．第２の実施の形態＞
［液晶応答期間を考慮する場合の例］
次に、本発明の第２の実施の形態に係る３Ｄ表示システム１０′に適用した例について説明する。以下の説明において、既に第１の実施の形態で説明した図１に対応する部分には同一符号を付し、詳細な説明を省略する。
【００４６】
３Ｄ表示システム１０′は、上述した第１の実施の形態に係る３Ｄ表示システム１０と同じ構成としてあるが、左映像と右映像の切替え時に液晶パネル８の応答期間を考慮する点で異なる。
【００４７】
図８は、３Ｄ映像信号を２倍速で表示する際に液晶パネル８へ左右映像を書き込む処理、光源６の輝度を制御する処理、シャッタ眼鏡２１の左右レンズをオン又はオフするタイミングを示したタイムチャートの例を示す。
【００４８】
図８Ａは、液晶パネル８に表示される左映像と右映像の３Ｄ映像信号の表示例を示す。
図８Ｂは、光源６の輝度の例を示す。
図８Ｃは、シャッタ眼鏡２１における左右レンズのオン・オフの遷移例を示す。
図８Ａに示すように、入力した３Ｄ映像信号に対して液晶パネル８が応答する時間が１ミリ秒である。
【００４９】
ここでは、映像信号が２４Ｐの時分割方式の３Ｄ映像に対応して、液晶パネル８を書き換えるパネル表示信号である場合を想定する。本例の光源駆動部５は、左映像又は右映像が互いに切り換わる際における液晶パネル８の応答期間（約１ミリ秒）を経過した後に光源６の輝度を高める制御を行う。
【００５０】
本例では、光源駆動部５が調整する光源６の輝度は、時間平均した光源６の輝度を基準として、光源が消費する電力の時間平均値をほぼ一定とする５０％乃至１７５％の範囲内の高低が制御される。このとき、制御部２は、液晶パネル８に右映像が完全に表示されている４．２５ミリ秒の期間、光源６の輝度を１７５％に上げると同時にシャッタ眼鏡２１の右レンズの液晶シャッタをオンとして光を透過させる。また、液晶パネル８に左映像が完全に表示されている４．２５ミリ秒の期間、光源６の輝度を１７５％に増加すると同時にシャッタ眼鏡２１の左レンズの液晶シャッタをオンとして光を透過させる。ここで光源６の輝度を一定にした場合（１００％）と比較すると、映像の明るさが約１．７５倍となる。
【００５１】
以上説明した第２の実施の形態に係る３Ｄ表示システム１０′によれば、以下のタイミングで光源６の輝度を制御する。すなわち、時分割方式の３Ｄ映像に対応する表示を行う際、液晶パネル８の映像を書き換える時間、液晶パネル８が応答する期間、光源６の輝度を下げて映像を書き換え、液晶パネル８の応答が終了するタイミングと同期して光源輝度を上げる。
【００５２】
具体的には、液晶パネル８に書き込まれる左映像と右映像が完全に切り換わるまで、制御部２は、光源６の輝度を下げる処理を行う。このとき、制御部２は、液晶パネル８に駆動電圧が加わり液晶が動き始める液晶応答期間である１ミリ秒を考慮して液晶パネル８に表示される左映像と右映像の書き替えを制御する。また、左映像と右映像が重なる期間では、光源６の輝度を５０％まで下げることによって、右目用と左映像が同時に見えてしまうクロストークを抑制することができる。
【００５３】
一方、左映像と右映像がそれぞれ液晶パネル８に完全に書き込まれると、制御部２は、光源６の輝度を上げる処理を行う。本例では、シャッタ眼鏡２１の左右レンズがオンされて光を透過させる期間は、液晶応答期間の分だけ短い。ここで、スクリーン１３に表示される３Ｄ映像の輝度が低下することを抑えるため、制御部２は、光源駆動部５に対して、左右映像が単独で書き込まれる期間における光源６の輝度を１７５％まで上げるよう指示する。このように左映像と右映像の切替え表示のタイミングに合わせて光源６の輝度の高低を制御することによって、ユーザは明るい画面を視認しながら、３Ｄ映像を視聴することが出来る。
【００５４】
＜３．変形例＞
なお、同様に液晶パネル８に時分割で右目用と左映像を表示するシステムにおいて、投射する右目用と左映像にそれぞれ異なる偏光を与え、これに適合する透過偏光方向を持つ光素子をシャッタ眼鏡に用いる３Ｄ表示システムに用いてもよい。
【００５５】
また、上述した第１及び第２の実施の形態では、光源６の輝度の変化を５０％〜１５０％又は１７５％の間で行うようにしたがこの数値範囲に限定されず、１フレームが２４Ｐである３Ｄ映像信号でなくてもよい。さらに高い輝度と低い輝度のコントラストを高めるようにしてもよい。
【００５６】
また、光源６の消費電力を一定とするのであれば、プロジェクタ用の光源６として一般的に使用されている高圧水銀ランプや発光ダイオード（ＬＥＤ：Light Emitting Diode）、レーザダイオードを用いてもよい。
【００５７】
また、本発明は上述した実施の形態に限られるものではなく、特許請求の範囲に記載した本発明の要旨を逸脱しない限りその他種々の応用例、変形例を取り得ることは勿論である。
【符号の説明】
【００５８】
１…プロジェクタ装置、２…制御部、３…シャッタ眼鏡駆動部、４…赤外線発光部、５…光源駆動部、６…光源、７…パネル駆動部、８…液晶パネル、９…レンズ、１０，１０′…３Ｄ表示システム、１１…表示制御回路、１２…光学エンジン、１３…スクリーン、２１…シャッタ眼鏡、２２…制御回路、２３…赤外線受光部
【図１】
2012105216.tif 000003
【図２】
2012105216.tif 000004
【図３】
2012105216.tif 000005
【図４】
2012105216.tif 000006
【図５】
2012105216.tif 000007
【図６】
2012105216.tif 000008
【図７】
2012105216.tif 000009
【図８】
2012105216.tif 000010